(57)【特許請求の範囲】
【請求項１】
光モジュールアセンブリであって、
レンズであって、その横方向に配向した外面によって形成された１以上のプール構造を有するレンズと、
レンズと結合した回路基板であって、その上に１以上の発光装置が配置された回路基板と、
レンズと結合してレンズとの間に境界面を形成しオーバーモールド本体と、
を備えており、
レンズが、回路基板の端部の周りに延在し、発光方向とは反対の方向に回路基板を越えて突出するアームを含み、
レンズとオーバーモールド本体との間の境界面が、回路基板への水分進入経路を含み、アーム内の１以上のプール構造が、水分が水分進入経路に沿って１以上のプール構造を越えて移動して回路基板に達するのを防ぐ、
光モジュールアセンブリ。
【請求項２】
レンズの１以上のプール構造が、レンズの複数の対向する第１の外面と、対向する第１の外面間に延在する第２の外面とを含む、請求項１に記載の光モジュールアセンブリ。
【請求項３】
レンズの対向する第１の外面が、垂直に配向した面であり、第２の外面が、水平に配向した面である、請求項２に記載の光モジュールアセンブリ。
【請求項４】
１以上のプール構造の幅寸法が、１以上のプール構造の高さ寸法よりも大きい、請求項２または３に記載の光モジュールアセンブリ。
【請求項５】
レンズの１以上のプール構造が、回路基板の周りに延在する１以上の溝を含む、請求項１から４のいずれかに記載の光モジュールアセンブリ。
【請求項６】
オーバーモールド本体が、レンズ内の１以上の溝内に延在する、請求項５に記載の光モジュールアセンブリ。
【請求項７】
１以上の溝の深さが、１以上の溝の幅寸法よりも小さい、請求項５または６に記載の光モジュールアセンブリ。
【請求項８】
レンズの１以上のプール構造が、上向きプール構造及び下向きプール構造を含み、上向きプール構造が、第１の水平に配向した表面を含み、第１の水平に配向した表面が第１の方向を向き、かつ第１の水平に配向した表面の両側に第１の垂直に配向した表面に対向しており、下向きプール構造が、第２の水平に配向した表面を含み、第２の水平に配向した表面が、第１の方向とは反対の第２の方向を向き、かつ第２の水平に配向した表面の両側に第２の垂直に配向した表面に対向している、請求項１から７のいずれかに記載の光モジュールアセンブリ。
【請求項９】
光モジュールアセンブリであって、
回路基板であって、対向する第１の側面及び第２の側面を有し、回路基板の第１の側面に１以上の発光装置が配置され、第１の側面及び第２の側面が、回路基板の対向する第１の端部及び第２の端部によって離間される回路基板と、
レンズであって、１以上の発光装置がレンズと回路基板との間に位置するように回路基板と結合していて、レンズが、回路基板の第１の端部及び第２の端部の周りに延在し、かつ発光装置の発光方向とは反対の方向に回路基板を越えて突出するアームを含み、アームが１以上のプール構造を含むレンズと、
レンズと結合してレンズとの間に境界面を形成するオーバーモールド本体であって、境界面が、オーバーモールド本体及びレンズの外側から回路基板内への水分進入経路を形成し、アーム内の１以上のプール構造が、水分進入経路に沿って通過する水分を集め、かつ水分が水分進入経路に沿って１以上のプール構造を越えて移動して回路基板に達するのを防ぐオーバーモールド本体と、
を備える、光モジュールアセンブリ。
【請求項１０】
レンズの１以上のプール構造が、レンズの複数の対向する第１の外面と、対向する第１の外面間に延在する第２の外面とを含む、請求項９に記載の光モジュールアセンブリ。
【請求項１１】
レンズの対向する第１の外面が、垂直に配向した面であり、第２の外面が、水平に配向した面である、請求項１０に記載の光モジュールアセンブリ。
【請求項１２】
１以上のプール構造の幅寸法が、１以上のプール構造の高さ寸法よりも大きい、請求項１０または１１に記載の光モジュールアセンブリ。
【請求項１３】
レンズの１以上のプール構造が、回路基板の周りに延在する１以上の溝を含む、請求項９から１２のいずれかに記載の光モジュールアセンブリ。
【請求項１４】
オーバーモールド本体が、レンズ内の１以上の溝内に延在する、請求項１３に記載の光モジュールアセンブリ。
【請求項１５】
１以上の溝の深さが、１以上の溝の幅寸法よりも小さい、請求項１３または１４に記載の光モジュールアセンブリ。
【請求項１６】
レンズの１以上のプール構造が、上向きプール構造及び下向きプール構造を含み、上向きプール構造が、第１の水平に配向した表面を含み、第１の水平に配向した表面が発光方向を向き、かつ第１の水平に配向した表面の両側に第１の垂直に配向した表面に対向しており、下向きプール構造が、第２の水平に配向した表面を含み、第２の水平に配向した表面が、発光方向とは反対の第２の方向を向き、かつ第２の水平に配向した表面の両側に第２の垂直に配向した表面に対向している、請求項９から１５のいずれかに記載の光モジュールアセンブリ。
【請求項１７】
１以上のプール構造を形成するアームを含むように光モジュールアセンブリのレンズを形成するステップと、
対向する第１の側面及び第２の側面を有し、第１の側面に１以上の発光装置が配置された回路基板にレンズを結合するステップであって、第１の側面及び第２の側面が、回路基板の対向する第１の端部及び第２の端部によって離間され、レンズが、１以上の発光装置がレンズと回路基板との間に位置するように、またレンズのアームが、回路基板の第１の端部及び第２の端部の周りに延在し、かつ発光装置の発光方向とは反対の方向に回路基板を越えて突出するように、回路基板と結合されるステップと、
レンズ上にオーバーモールド本体を形成して、レンズとオーバーモールド本体との間に境界面を形成するステップであって、境界面が、オーバーモールド本体及びレンズの外側から回路基板内への水分進入経路を形成し、ここでアーム内の１以上のプール構造が、水分進入経路に沿って通過する水分を集め、かつ水分が水分進入経路に沿って１以上のプール構造を越えて移動して回路基板に達するのを防ぐステップと、
を含む、方法。
【請求項１８】
１以上のプール構造が、レンズの複数の対向する第１の外面と、対向する第１の外面間に延在する第２の外面とを含むように、レンズが形成される、請求項１７に記載の方法。
【請求項１９】
レンズの対向する第１の外面が垂直に配向した面であり、第２の外面が水平に配向した面であるように、レンズが形成される、請求項１８に記載の方法。
【請求項２０】
１以上のプール構造の幅寸法が、１以上のプール構造の高さ寸法よりも大きくなるように、レンズが形成される、請求項１８または１９に記載の方法。
【発明の詳細な説明】
【技術分野】
【０００１】
本明細書で開示する主題の実施形態は、発光装置のような光モジュールアセンブリに関する。
【背景技術】
【０００２】
光モジュールアセンブリは、発光装置を含む。かかるアセンブリの一例には、発光ダイオード（ＬＥＤ）モジュールが含まれる。これらのタイプのモジュールは、１以上のＬＥＤと、ＬＥＤに電力を供給するための回路基板と、ＬＥＤが空間で放射する光を再分配又は調整し、及び／又はＬＥＤを外部環境から保護するための１以上のレンズとを含むことができる。
【０００３】
場合によっては、モジュールが環境条件に曝露される場所でこれらのモジュールを使用してもよい。これらの環境条件には、雨、雪、霙、結露による水などの水分が含まれ得る。ＬＥＤは電気装置であるため、水分に対するＬＥＤ及び／又は回路基板の曝露は、モジュールを損傷及び／又は破壊する可能性がある。例えば、水分は、モジュールの部品間のシール間を通過し、及び／又はこれらのシールを損傷する可能性がある。水分は、モジュールの電気部品が配置されている、レンズの下に到達する可能性がある。十分な水分がＬＥＤ及び／又は回路基板に到達すると、ＬＥＤモジュールは光を生成できなくなることもある。
【０００４】
一部の公知のＬＥＤモジュールは、モジュールのレンズとモジュールの他の部品との間のシールを含む。これらのシールは、モジュールの様々な部品間の境界面上又はその中に配置され、モジュール内部への水分の進入を防止するためのものである。しかし、シールは、境界面間を通過する水分すべてを防止できないことがある。一旦水分がモジュールの内部及び境界面の間に入ると、水分は境界面に沿って移動し、モジュールの電気部品に到達することがある。
【先行技術文献】
【特許文献】
【０００５】
【特許文献１】中国実用新案第２０２７９１４２２号明細書
【発明の概要】
【０００６】
一実施形態では、光モジュールアセンブリは、レンズと、回路基板と、オーバーモールド本体とを含む。レンズは、レンズの横方向に配向した外面によって形成される１以上のプール構造を含む。回路基板はレンズと結合しており、回路基板上に配置された１以上の発光装置を有する。オーバーモールド本体はレンズと結合していて、レンズとオーバーモールド本体との間の境界面を形成する。レンズとオーバーモールド本体との間の境界面は、回路基板内への水分進入経路を含むか、又は画成する。１以上のプール構造は、水分が水分進入経路に沿って１以上のプール構造を越えて移動して回路基板に達するのを防ぐ。
【０００７】
別の実施形態では、別の光モジュールアセンブリは、回路基板と、オーバーモールド本体とを含む。回路基板は、回路基板の第１の側面に１以上の発光装置が配置された、対向する第１の側面及び第２の側面を含む。第１の側面及び第２の側面は、回路基板の対向する第１の端部及び第２の端部によって離間される。レンズは、１以上の発光装置がレンズと回路基板との間にあるように回路基板と結合される。レンズは、回路基板の第１の端部及び第２の端部の周りに延在し、かつ発光装置の発光方向とは反対の方向に回路基板を越えて突出するアームを含む。アームは、１以上のプール構造を含む。オーバーモールド本体はレンズと結合していて、レンズとオーバーモールド本体との間の境界面を形成する。境界面は、オーバーモールド本体及びレンズの外側から回路基板への水分進入経路を形成する。アーム内の１以上のプール構造は、水分進入経路に沿って通過する水分を集め、水分が水分進入経路に沿って移動し、１以上のプール構造を越えて回路基板に到達することを防止する。
【０００８】
別の実施形態では、方法は、１以上のプール構造を形成するアームを含むように光モジュールアセンブリのレンズを形成するステップと、レンズと回路基板の第１の側面に１以上の発光装置が配置された対向する第１の側面及び第２の側面を有する回路基板とを結合するステップとを含む。第１の側面及び第２の側面は、回路基板の対向する第１の端部及び第２の端部によって離間される。レンズは、１以上の発光装置がレンズと回路基板との間にあるように、また、レンズのアームが回路基板の第１の端部及び第２の端部の周りに延在し、かつ発光装置の発光方向とは反対の方向に回路基板を越えて突出するように、回路基板と結合される。方法はまた、レンズとオーバーモールド本体との間の境界面を形成するために、レンズ上にオーバーモールド本体を形成するステップを含む。境界面は、オーバーモールド本体及びレンズの外側から回路基板への水分進入経路を形成する。アーム内の１以上のプール構造は、水分進入経路に沿って通過する水分を集め、水分が水分進入経路に沿って移動し、１以上のプール構造を越えて回路基板に到達することを防止する。
【０００９】
本明細書に記載される主題は、以下の添付の図面を参照して以下の非限定的な実施形態の説明を読むことにより、よりよく理解されるであろう。
【図面の簡単な説明】
【００１０】
【図１】一実施形態に係る光モジュールアセンブリの斜視図である。
【図２】図１に示す線２−２による光モジュールアセンブリの断面図である。
【図３】図１に示す線３−３による光モジュールアセンブリの別の断面図である。
【図４】一実施形態に係る、図２に示すレンズのアームの一部分の断面図である。
【図５】一実施形態に係るレンズのアームの別の部分の断面図である。
【図６】光モジュールアセンブリの製造方法の一実施形態のフローチャートである。
【発明を実施するための形態】
【００１１】
本明細書に記載の実施形態は、光モジュールアセンブリ及びその製造方法に関する。光モジュールアセンブリは、アセンブリの電気部品が配置される場所への水分の進入を防止し、その結果、一部の公知のＬＥＤモジュールよりも高い進入保護（ＩＰ）評価を有する。光モジュールアセンブリは、部品の外形内に水分プール構造を有するレンズなどの、独自の形状の部品を含む。この構造は、レンズがオーバーモールド本体のような他の部品と結合される際に、水分がアセンブリの電気部品に到達するか又はこれを損傷するのに十分なほど深くアセンブリ内へ侵入するのを著しく低減又は排除するように、レンズとオーバーモールド本体との間の境界面が形成され得るように形成される。
【００１２】
図１は、一実施形態に係る光モジュールアセンブリ１００の斜視図を示す。アセンブリ１００は、外側ハウジング、外側本体などとも呼ばれるオーバーモールド本体１０２を含む。オーバーモールド本体１０２は、光透過性レンズ１０４と結合している。レンズ１０４とオーバーモールド本体１０２との間には、（ＬＥＤ又は光を発生する別のタイプの電気装置などの）１以上の発光装置１０６及び１以上の回路基板（図１には示さず）がある。例示的な実施形態では、３つの発光装置１０６が示されているが、代替的に、アセンブリ１００は、単一の装置１０６、２つの装置１０６、又は３以上の装置１０６など、様々な数の発光装置１０６を含むことができる。オーバーモールド本体１０２及び／又はレンズ１０４は、種々の材料から形成することができる。例えば、オーバーモールド本体１０２は、ポリ（塩化ビニル）又はＰＶＣ、又は別のタイプのポリマーから形成することができる。レンズ１０４は、アクリル又は他のタイプのポリマー、又は発光装置１０６によって生成された少なくとも一部の光が通過してレンズ１０４から発散することを可能にする他の材料から形成することができる。１以上の電源１０８（例えば、ケーブル、導電性バス、ワイヤなど）は、オーバーモールド本体１０２及び／又はレンズ１０４内に延在して、プリント回路基板を電気コンセント、バッテリなど１以上の電流源と導電的に結合する。
【００１３】
図２は、図１に示す線２−２による光モジュールアセンブリ１００の断面図を示す。図２に示す光モジュールアセンブリ１００の断面図は、アセンブリ１００のＸ断面と呼ばれてもよい。図３は、図１に示す線３−３による光モジュールアセンブリ１００の別の断面図を示す。図３に示す光モジュールアセンブリ１００の断面図は、アセンブリ１００のＹ断面と呼ばれてもよい。
【００１４】
回路基板２００は、レンズ１０４とオーバーモールド本体１０２との間に配置される。発光装置１０６は、回路基板２００と導電的に結合されている。回路基板２００は、回路基板２００の一方の側面２０２（例えば、上部側面又は光放射側面）が、回路基板２００とレンズ１０４との間で中間部品又は材料なしにレンズ１０４と直接的に物理的に接触するように、及び、回路基板２００の反対の側面２０４（例えば、下部側面）が、回路基板２００とオーバーモールド本体１０２との間で中間部品又は材料なしにオーバーモールド本体１０２と直接的に物理的に接触するように、レンズ１０４とオーバーモールド本体１０２との間に挟まれてもよい。或いは、レンズ１０４と回路基板２００との間、及び／又はオーバーモールド本体１０２と回路基板２００との間に、接着剤、シーラントなどのような１以上の他の部品又は材料があってもよい。
【００１５】
アセンブリ１００の発光方向は、図２の斜視図において上向きの方向である。これは、たとえ光の一部がレンズ１０４から他の方向に発散することがあるとしても、発光装置１０６によって生成され、レンズ１０４から発散される光が主に方向付けられる方向である。一実施形態では、発光方向は、図２の斜視図において、回路基板２００の上部側面２０２に垂直な向きで上向きに方向付けられている。
【００１６】
回路基板２００はまた、対向する端部２０６、２０８の間に延在し、各端部２０６、２０８は、回路基板２００の一方の側面２０２から回路基板２００の反対の側面２０４に（図２の視点で）垂直に延在している。回路基板２００の別の端部２１０は、図２に示すように、側面２０２、２０４と端部２０６、２０８との間に延在する。図３に示す回路基板２００の端部３００は、端部２１０とは反対側にあってもよく、側面２０２、２０４と端部２０６、２０８との間に垂直に延在していてもよい。その結果、回路基板２００は、側面２０２、２０４及び端部２０６、２０８、２１０、３００を含む６つの表面を有していてもよい。或いは、回路基板２００は、別の形状及び／又は異なる数の側面及び／又は端部を有してもよい。レンズ１０４は、端部２０６、２０８、２１０、及び／又は３００がオーバーモールド本体１０２と直接接触しないように、端部２０６、２０８、２１０、及び／又は３００と回路基板２００との間に延在していてもよい。任意選択的に、回路基板２００の端部２０６、２０８、２１０、３００は、端部２０６、２０８、２１０、及び／又は３００の１以上とレンズ１０４との間に隙間が配置されるように、レンズ１０４から離間されてもよい。
【００１７】
図示の実施形態では、レンズ１０４は単一の連続体であり、オーバーモールド本体１０２は単一の連続体である。例えば、レンズ１０４は、単一の本体から形成されてもよく、互いに接着され、互いに融合され、互いに溶融され、互いに溶着されるか、又は別の方法で組み合わされる２以上の別個の本体からは形成されない。同様に、オーバーモールド本体１０２は、単一の本体から形成されてもよく、互いに接着され、互いに融合され、互いに溶融され、互いに溶着されるか、又は他の方法で組み合わされる２以上の別個の本体からは形成されない。或いは、レンズ１０４は、互いに接着され、互いに融合され、互いに溶融され、互いに溶着されるか、又は他の方法で組み合わされる２以上の別個の本体から形成されてもよく、及び／又はオーバーモールド本体１０２は、互いに接着され、互いに融合され、互いに溶融され、互いに溶着されるか、又は他の方法で組み合わされる２以上の別個の本体から形成されてもよい。
【００１８】
レンズ１０４は、回路基板２００から離れて第１の方向に（例えば、図２及び図３の斜視図において上方に）延在する突出部分２１０と、反対の第２の方向（例えば、図２及び図３の斜視図において下方に）に延在する突出アーム２１２とを有する本体を形成する。アーム２１２は、回路基板２００の端部２０６、２０８、２１０、３００に沿って連続的に延在して、回路基板２００の周りにカラーを形成してもよい。例えば、レンズ１０４のアーム２１２は、図２及び図３の斜視図において、回路基板２００及び発光装置１０６が内部に配置される、逆さまのボウルを形成することができる。
【００１９】
オーバーモールド本体１０２は、レンズ１０４及び回路基板２００上に形成することができる。例えば、回路基板２００をレンズ１０４に接触させて配置した後、オーバーモールド本体１０２を形成するために使用される１以上の材料は、レンズ１０４及び回路基板２００の上に堆積させたり、流したり、又は別の方法で接触させてもよく、次に硬化又は他の方法で固化させてオーバーモールド本体１０２を形成する。図２及び図３の斜視図に関して、オーバーモールド本体１０２は、回路基板２００の下、アーム２１２の下、アーム２１２の周り及び外側、及びアーム２１２の部分の上方に延在することができる。或いは、オーバーモールド本体１０２は、別の形状を有してもよい。
【００２０】
オーバーモールド本体１０２及びレンズ１０４は、本体１０２とレンズ１０４との間の境界面２１４を形成する。この境界面２１４は、本体１０２がレンズ１０４に直接接触する位置を表すことができる。或いは、１以上のシール材料、接着剤などを境界面２１４内に配置してもよい。例示された実施形態では、オーバーモールド本体１０２がレンズ１０４のアーム２１２の周りに延在するので、境界面２１４も同様にアーム２１２の周りに（例えば、アーム２１２の上、下、及び反対側に沿って）配置される。例えば、図２及び図３の斜視図に関して、境界面２１４は、回路基板２００から概ね外側に、概ね上方に、概ね内側に、そして上方に延在することができる。用語「概ね」は、境界面２１４が、１以上の巻回部又は屈曲部を含むが、示された方向に大きく延在してもよいことを示すために使用される。
【００２１】
境界面２１４は、アセンブリ１００の水分進入経路２１６を画成することができる。例えば、水分は、境界面２１４に沿ってアセンブリ１００に入ってもよい。しかしながら、境界面２１４の形状は、水分が回路基板２００及び／又は発光装置１０６に到達するのを低減又は防止することができる。例えば、境界面２１４の形状は、（図２及び図３の斜視図において）境界面２１４の上側でアセンブリ１００内に入り、境界面２１４内のレンズ１０４とオーバーモールド本体１０２との間、及びレンズ１０４のアーム２１２の周りを移動し、さらにレンズ１０４とオーバーモールド本体１０２との間を上方に移動して、回路基板２００と発光装置１０６とが配置されている空間に入る可能性がある水分量を、著しく低減することができる。
【００２２】
境界面２１４及び経路２１６の形状は、レンズ１０４のアーム２１２の形状によって画成され、１以上のプール構造２１８、２２０を含むことができる。以下に説明するように、プール構造２１８、２２０は、オーバーモールド本体１０２及びレンズ１０４の外側からアセンブリ１００に入り、水分が水分進入経路２１６に沿って移動してアセンブリ１００に入るのを防止するか、又は水分量を低減する。水分は、プール構造２１８、２２０内に集められるかプールされ、それによって、アセンブリ１００内への水分のさらなる移動を防止することができる。任意選択的に、プール構造２１８、２２０を形成するレンズ１０４の横断面は、プール構造２１８、２２０を通過するためにより強い力及び／又はより多い水分量を要求することによって、水分が進入経路２１６に沿って移動することをより困難にすることができる。
【００２３】
レンズ１０４の各アーム２１２に対して２つのプール構造２１８、２２０のみを示しているが、任意選択的に、より少数又はより多数のプール構造が供給されてもよい。図２及び図３に示すように、アーム２１２は、回路基板２００の異なる端部２０６、２０８、２１０、３００に沿って異なる形状を有していてもよい。例えば、アーム２１２は、回路基板２００の端部２１０、３００に沿って単一のプール構造２１８を有する境界面２１４の一部分を画成してもよいし、回路基板２００の端部２０６、２０８に沿って複数のプール構造２１８、２２０を有する境界面２１４の一部分を画成してもよい。或いは、レンズ１０４のアーム２１２は、回路基板２００の１以上の端部２０６、２０８、２１０、３００に沿って、異なるプール構造２１８、２２０及び／又は異なる数のプール構造２１８、２２０を画成してもよい。
【００２４】
図４は、一実施形態に係るレンズ１０４のアーム２１２の一部分の断面図を示す。オーバーモールド本体１０２は、図４には示されていない。図４に示すアーム２１２は、回路基板２００の端部３００に沿ったアーム２１２の一部分であるが、代わりにアーム２１２の別の部分を表してもよい。図４に示すアーム２１２は、レンズ１０４とオーバーモールド本体１０２との間の境界面２１４によって画成される経路２１６の長さを延ばすことによって水分の進入を制限又は防止する、プール構造２１８を含む。この経路２１６の長さを延ばすことにより、水分がアセンブリ１００の電気部品（例えば、回路基板２００及び／又は発光装置１０６）に到達するまでに移動しなければならない距離を延ばすことができる。
【００２５】
プール構造２１８は、レンズ１０４の横方向に配向した外面４０２、４０４の間の境界面によって形成される屈曲部又は巻回部４００（例えば、屈曲部４００Ａ、４００Ｂ）を含む。外面４０２は、図４の斜視図において、面４０２が垂直面よりもより水平面に向かって配向されているので、水平面と呼んでもよい。外面４０４は、図４の斜視図において、面４０４が水平面よりもより垂直面に向かって配向されているので、垂直面と呼んでもよい。オーバーモールド本体１０２を形成する前に、プール構造２１８内の外面４０２、４０４及び屈曲部４００は、回路基板２００の端部３１０に沿って延在する溝を形成する。同様に、回路基板２００の反対側の端部２０８に沿って延在するアーム２１２の部分の表面４０２、４０４及び屈曲部４００は、回路基板２００の端部２０８に沿って延在する別の溝を形成してもよい。
【００２６】
プール構造２１８は、図４に示すように、高さ寸法４０６及び幅寸法４０８によって空間的に特徴付けられ得る。高さ寸法４０６は、アーム２１２に形成された溝の深さを表すことができ、プール構造２１８の水平面４０２から、プール構造２１８内の他の垂直面４０４よりも回路基板２００又は発光装置１０６から遠い位置にある垂直面４０４の頂部までの（図４の斜視図において）垂直方向に沿って測定することができる。幅寸法４０８は、アーム２１２に形成された溝の幅を表すことができ、プール構造２１８の１つの垂直面４０４から別の垂直面４０４までの（図４の斜視図において）水平方向に沿って測定することができる。
【００２７】
プール構造２１８の高さ寸法４０６及び／又は幅寸法４０８は、アセンブリ１００の全体的なサイズに対する制限に基づいて変更することができる。一実施形態では、高さ寸法４０６に対する幅寸法４０８の比（例えば、幅対高さ比）は１．２５であり、又は幅寸法４０８に対する高さ寸法４０６の比（例えば、高さ対幅比）は０．８である。或いは、別の値を使用することもできる。例えば、幅対高さ比は、１．２５未満であってもよいし、１．２５超であってもよい。別の例として、高さ対幅比は、０．８未満であってもよいし、０．８超であってもよい。一実施形態では、幅寸法４０８は０．５ミリメートルであり、高さ寸法４０６は０．４ミリメートルであるが、代わりに他の寸法を使用してもよい。
【００２８】
一態様では、幅対高さ比１．２５又は高さ対幅比０．８を使用すると、境界面２１４を通り、プール構造２１８を通り、アーム２１２の周りを通り、アセンブリ１００の内部に入って電気部品に到達する水分量が、同じ又は類似の全体外形寸法を有するがプール構造２１８がない他の光モジュールアセンブリと比較すると、予想外に減少する。例えば、比がより小さく又はより大きくなると、より多くの水分がアセンブリ１００の内部に到達する可能性がある。プール構造２１８は、かかるプール構造を含まないレンズと比較すると、水分が経路２１６を通って境界面２１４に沿ってアセンブリ１００の内部に移動するのに必要な力を予想外に増加させる。
【００２９】
プール構造２１８は、任意選択的に、レンズ１０４をオーバーモールド本体１０２との結合状態で維持するのを助長してもよい。例えば、プール構造２１８によって画成される溝は、オーバーモールド本体１０２をレンズ１０４から分離するために必要な力を増加させることができる。レンズ１０４は、０．８以下又は他の値以下のプロファイル粗さパラメータ（Ｒａ）を有していてもよい。この粗さは、レンズ１０４及びオーバーモールド本体１０２を互いに結合した状態に保つのを助長し得る。
【００３０】
図５は、一実施形態に係るレンズ１０４のアーム２１２の別の部分の断面図を示す。図５に示すアーム２１２は、回路基板２００の端部２０８に沿ったアーム２１２の部分を表しているが、代わりにアーム２１２の別の部分を表していてもよい。図５に示すアーム２１２は、プール構造２１８及びプール構造２２０を含む。プール構造２１８に加えて、プール構造２２０は、レンズ１０４とオーバーモールド本体１０２との間の境界面２１４によって画成される経路２１６の長さを延ばすことによって、水分の進入を制限又は防止することができる。
【００３１】
プール構造２１８と同様に、プール構造２２０は、レンズ１０４の横方向に配向した外面４０２、４０４の間の境界面によって形成される屈曲部又は巻回部４００を含む。プール構造２１８と同様に、プール構造２２０は、アーム２１２の底面に沿って延在する溝を形成する。プール構造２１８とは対照的に、プール構造２２０は、下向き又は反対方向に向いていてもよい。例えば、プール構造２１８の水平面４０２は、上向きに、又はアセンブリ１００の発光方向に向いていてもよく、一方、プール構造２２０の水平面４０２は、下向きに、又はアセンブリ１００の発光方向に向いていてもよい。
【００３２】
プール構造２２０はまた、図４に示す高さ寸法４０６及び幅寸法４０８によって空間的に特徴付けられ得る。プール構造２２０は、プール構造２１８と同じか又は異なる寸法４０６及び／又は４０８、或いはプール構造２１８と同じか又は異なる高さ対幅比又は幅対高さ比を有していてもよい。プール構造２２０は、任意選択的に、レンズ１０４をオーバーモールド本体１０２との結合状態で維持するのを助長してもよい。例えば、プール構造２２０によって画成される溝は、オーバーモールド本体１０２をレンズ１０４から分離するために必要な力を増加させることができる。
【００３３】
プール構造２１８、２２０は、アセンブリ１００の外部からアセンブリ１００の内部電気部品に到達するために水分が移動する必要がある距離を延ばすことができる。プール構造２１８、２２０は、アセンブリ１００の全体的なサイズ又は外形寸法を著しく増加させることなく、進入する水分量を著しく低減することができる。例えば、プール構造２１８、２２０を形成する屈曲部４００及び表面４０２、４０４は、著しく大きなレンズ１０４を必要とすることなく、アセンブリ１００の電気部品に入ることなく、水分が配置される位置を著しく増加させることができる。
【００３４】
１つの態様では、アセンブリ１００のＩＰ等級は、プール構造２１８、２２０のうちの１以上の存在により上げることができる。例えば、プール構造２１８及び／又はプール構造２２０をレンズ１０４に含まない類似の光モジュールアセンブリの場合、アセンブリはＩＰ６６のＩＰ等級を有することができる。しかしながら、プール構造２１８及び／又はプール構造２２０をレンズ１０４に追加することによって、アセンブリ１００のＩＰ等級は、例えばＩＰ  ６８等級まで上がることがある。
【００３５】
追加的又は代替的に、プール構造２１８、２２０を含むようにレンズ１０４を形成することにより、水分の進入を低減するためにレンズ１０４及び／又はオーバーモールド本体１０２上に追加のシール本体又は他の物質を配置する必要性を低減又は排除することができる。プール構造２１８、２２０が水分の進入を著しく減少させるので、電気部品（回路基板２００及び発光装置１０６）が配置されているアセンブリ１００の領域への水分の進入を防止するために、追加のシール剤又は他の物質を境界面２１４の上又は内部に配置する必要はない。
【００３６】
図６は、光モジュールアセンブリの製造方法６００の一実施形態のフローチャートである。方法６００は、本明細書に示し説明する光モジュールアセンブリ１００を供給するために使用されてもよい。６０２において、レンズが形成される。このレンズは、レンズに組み込まれたプール構造を有していてもよい。例えば、レンズ１０４は、アーム内に形成されたプール構造２１８及び／又は２２０を有する１以上のアーム２１２で形成されてもよい。上述のように、これらのプール構造は、電気部品が配置されている光モジュールアセンブリの内部空間への水分の進入を防止するのを助長し得る。レンズは、アクリル又は他のポリマー材料を加熱し、加熱した材料をレンズの形状を画成する型に入れることによって形成されてもよい。或いは、レンズは、材料の固体ブロックから切り出されてもよい。任意選択的に、レンズを形成するために別の技術を使用してもよい。
【００３７】
６０４において、１以上の発光装置を有する回路基板がレンズと結合される。例えば、発光装置１０６を有する回路基板２００は、レンズ１０４のアーム２１２によって形成される逆さまのボウル内に配置することができる。６０６において、オーバーモールド本体は、レンズの少なくとも一部及び任意選択的に回路基板上に形成される。例えば、オーバーモールド本体１０２は、レンズ１０４の下部（プール構造２１８、２２０を含む）に形成することができる。オーバーモールド本体１０２をレンズ１０４上に形成することにより、水分進入経路２１６を画成する境界面２１４を形成することができる。しかしながら、上記のように、プール構造２１８、２２０は、境界面２１４に沿ってアセンブリ１００の内部空間へ水分が進入することを、排除しないにしても著しく低減することができる。
【００３８】
一実施形態では、光モジュールアセンブリは、レンズと、回路基板と、オーバーモールド本体とを含む。レンズは、レンズの横方向に配向した外面によって形成される１以上のプール構造を含む。回路基板はレンズと結合しており、回路基板上に配置された１以上の発光装置を有する。オーバーモールド本体はレンズと結合していて、レンズとオーバーモールド本体との間の境界面を形成する。レンズとオーバーモールド本体との間の境界面は、回路基板内への水分進入経路を含むか、又は画成する。１以上のプール構造は、水分が水分進入経路に沿って１以上のプール構造を越えて移動して回路基板に達するのを防ぐ。
【００３９】
一態様では、レンズの１以上のプール構造は、レンズの複数の対向する第１の外面と、対向する第１の外面間に延在する第２の外面とを含む。
【００４０】
一態様では、レンズの対向する第１の外面は垂直に配向した面であり、第２の外面は水平に配向した面である。
【００４１】
一態様では、１以上のプール構造の幅寸法は、１以上のプール構造の高さ寸法よりも大きい。
【００４２】
一態様では、レンズの１以上のプール構造は、回路基板の周りに延在する１以上の溝を含む。
【００４３】
一態様では、オーバーモールド本体は、レンズの１以上の溝内に延在する。
【００４４】
一態様では、１以上の溝の深さは、１以上の溝の幅寸法よりも小さい。
【００４５】
一態様では、レンズの１以上のプール構造は、上向きプール構造及び下向きプール構造を含む。上向きプール構造は、第１の方向に面する第１の水平に配向した表面と、第１の水平に配向した表面の両側にある対向する第１の垂直に配向した表面とを含む。下向きプール構造は、第１の方向とは反対の第２の方向に面する第２の水平に配向した表面と、第２の水平に配向した表面の両側にある対向する第２の垂直に配向した表面とを含む。
【００４６】
別の実施形態では、別の光モジュールアセンブリは、回路基板と、オーバーモールド本体とを含む。回路基板は、回路基板の第１の側面に１以上の発光装置が配置された、対向する第１の側面及び第２の側面を含む。第１の側面及び第２の側面は、回路基板の対向する第１の端部及び第２の端部によって離間される。レンズは、１以上の発光装置がレンズと回路基板との間にあるように回路基板と結合される。レンズは、回路基板の第１の端部及び第２の端部の周りに延在し、かつ発光装置の発光方向とは反対の方向に回路基板を越えて突出するアームを含む。アームは、１以上のプール構造を含む。オーバーモールド本体はレンズと結合していて、レンズとオーバーモールド本体との間の境界面を形成する。境界面は、オーバーモールド本体及びレンズの外側から回路基板への水分進入経路を形成する。アーム内の１以上のプール構造は、水分進入経路に沿って通過する水分を集め、水分が水分進入経路に沿って移動し、１以上のプール構造を越えて回路基板に到達することを防止する。
【００４７】
一態様では、レンズの１以上のプール構造は、レンズの複数の対向する第１の外面と、対向する第１の外面間に延在する第２の外面とを含む。
【００４８】
一態様では、レンズの対向する第１の外面は垂直に配向した面であり、第２の外面は水平に配向した面である。
【００４９】
一態様では、１以上のプール構造の幅寸法は、１以上のプール構造の高さ寸法よりも大きい。
【００５０】
一態様では、レンズの１以上のプール構造は、回路基板の周りに延在する１以上の溝を含む。
【００５１】
一態様では、オーバーモールド本体は、レンズの１以上の溝内に延在する。
【００５２】
一態様では、１以上の溝の深さは、１以上の溝の幅寸法よりも小さい。
【００５３】
一態様では、レンズの１以上のプール構造は、上向きプール構造及び下向きプール構造を含む。上向きプール構造は、発光方向に面する第１の水平に配向した表面と、第１の水平に配向した表面の両側にある対向する第１の垂直に配向した表面とを含む。下向きプール構造は、発光方向と反対の第２の方向に面する第２の水平に配向した表面と、第２の水平に配向した表面の両側にある対向する第２の垂直に配向した表面とを含む。
【００５４】
別の実施形態では、方法は、１以上のプール構造を形成するアームを含むように光モジュールアセンブリのレンズを形成するステップと、レンズと回路基板の第１の側面に１以上の発光装置が配置された対向する第１の側面及び第２の側面を有する回路基板とを結合するステップとを含む。第１の側面及び第２の側面は、回路基板の対向する第１の端部及び第２の端部によって離間される。レンズは、１以上の発光装置がレンズと回路基板との間にあるように、また、レンズのアームが回路基板の第１の端部及び第２の端部の周りに延在し、かつ発光装置の発光方向とは反対の方向に回路基板を越えて突出するように、回路基板と結合される。方法はまた、レンズとオーバーモールド本体との間の境界面を形成するために、レンズ上にオーバーモールド本体を形成するステップを含む。境界面は、オーバーモールド本体及びレンズの外側から回路基板への水分進入経路を形成する。アーム内の１以上のプール構造は、水分進入経路に沿って通過する水分を集め、水分が水分進入経路に沿って移動し、１以上のプール構造を越えて回路基板に到達することを防止する。
【００５５】
一態様では、レンズは、１以上のプール構造がレンズの複数の対向する第１の外面と、対向する第１の外面間に延在する第２の外面とを含むように形成される。
【００５６】
一態様では、レンズは、レンズの対向する第１の外面が垂直に配向した面であり、第２の外面が水平に配向した面であるように形成される。
【００５７】
一態様では、レンズは、１以上のプール構造の幅寸法が、１以上のプール構造の高さ寸法よりも大きくなるように形成される。
【００５８】
本発明の主題の特定の実施形態についての前述の説明は、添付の図面と併せて読むことにより、よりよく理解されるであろう。様々な実施形態は、図面に示した構成及び手段に限定されない。上記の説明は例示的なものであり、限定的なものではない。例えば、上記の実施形態（及び／又はその態様）は、互いに組合せて使用・・されてもよい。さらに、本発明の本質的な範囲を逸脱することなく特定の状況又は材料を本発明の主題の教示に適応させるために、多くの修正を加えてもよい。本明細書に記載される材料の寸法及びタイプは、本発明の主題の要因を定義することを意図しているが、決して限定的ではなく例示的な実施形態である。他の実施形態は、上記の説明を検討することにより当業者に明らかとなってもよい。したがって、本発明の主題の範囲は、添付の請求項を参照して、かかる請求項が権利を与えられる等価物の全範囲とともに決定されるべきである。
【００５９】
添付の請求項において、用語「含む（ｉｎｃｌｕｄｉｎｇ）」及び「そこで（ｉｎ  ｗｈｉｃｈ）」は、それぞれの用語「含む（ｃｏｍｐｒｉｓｉｎｇ）」及び「そこにおいて（ｗｈｅｒｅｉｎ）」の平易な英語による等価物として使用される。さらに、以下の請求項において、「第１」、「第２」及び「第３」などの用語は単に符号として使用され、それらの対象物に数値的な要件を課すことを意図しない。さらに、以下の請求項の制限は、かかる請求項の制限が表現「のための手段」の後にさらなる構造のない、機能に関する記載を明示的に使用しない限り、かつ使用するまで、ミーンズ・プラス・ファンクション形式で記載されるものではなく、米国特許法第１１２条に基づいて解釈されるものではない。本明細書で使用するように、単数形で記載され、単語「ａ」又は「ａｎ」の後に続く要素又はステップは、複数の上記要素又はステップを除外しないものとして理解されるべきであるが、かかる除外が明示的に述べられている場合は除く。さらに、本発明の主題の「一実施形態」への言及は、列挙された特徴をも組み込む追加の実施形態の存在を排除するものとして解釈されることを意図していない。さらに、明示的な反対の記載がない限り、特定の特性を有する要素又は複数の要素を「含む（ｃｏｍｐｒｉｓｉｎｇ）」、「含む（ｉｎｃｌｕｄｉｎｇ）」又は「有する（ｈａｖｉｎｇ）」実施形態は、その特性を有さない追加の要素を含んでもよい。
【００６０】
この明細書は、本発明の主題のいくつかの実施形態を開示するために、また、任意の装置又はシステムを製造及び使用し、任意の組み込まれた方法を実行することを含む、本発明の実施を当業者に可能にするように、実施例を使用している。本発明の主題の特許され得る範囲は、請求項によって定義され、当業者が想到する他の実施例を含むことができる。このような他の実施例が請求項の字義通りの文言と異ならない構造要素を有する場合、又は、それらが請求項の字義通りの文言と実質的な差異がない等価な構造要素を含む場合には、このような他の実施例は特許請求の範囲内であることを意図している。
【図１】
0006496825.tif 000002
【図２】
0006496825.tif 000003
【図３】
0006496825.tif 000004
【図４】
0006496825.tif 000005
【図５】
0006496825.tif 000006
【図６】
0006496825.tif 000007